(57)【要約】      （修正有）【課題】ネジに連結する部材にオネジを収容するための空洞を設ける必要のない突っ張り装置を提供する。【解決手段】２本のネジを使うことにより突っ張り面とネジ部が突っ張り方向に対して同じ直線上に重ならないように間隔をあけて、向かい合う固定された板である固定板１と移動する板である移動板２よりなる圧着板を２本のネジ５、１０で連結する。２本のネジは移動板が固定板の方向に移動しないように制止するためのネジである間隔固定ネジ５と移動板を移動させて圧着板の間隔を自由に調整ためのネジである間隔調整ネジ１０である。２本のネジで圧着板の間隔を拡げることにより圧着板の外側面で被圧着面を圧迫し被圧着面の間に突っ張り固定する。【選択図】図１
0003175186.tif 000002
【実用新案登録請求の範囲】
【請求項１】
固定された板である固定板とネジの働きで移動する板である移動板よりなる２個の圧着板が間隔をあけて向かい合い２本のネジが圧着板を連結しネジの働きで圧着板の間隔を調整し突っ張りの対象とする２つの面である被圧着面を圧迫して被圧着面の間に固定する突っ張り装置で、２本のネジは蝶ナット等のメネジとかみ合い蝶ナット等を任意の位置に止めることにより移動板が固定板の方向へ動くのを制止するネジである間隔固定ネジと移動板の貫通穴の内側に付いたオニメナットまたはツメ付きナット等のメネジとかみ合いネジを回して移動板を移動して圧着板の間隔を自由に調整するためのネジである間隔調整ネジよりなり、間隔固定ネジは２個の圧着板の長さ方向の中央付近を貫通し固定板にあいた貫通穴の出入口をネジの頭とネジ軸に固定した板ナット等の金具で塞ぎ固定板と移動板との間のネジ軸に蝶ナット等がかみ合いネジの末端側は移動板にあいた貫通穴を通って移動板の外側に伸び、間隔調整ネジは間隔固定ネジから間隔をあけた位置で圧着板を貫通し固定板にあいた貫通穴の出入口をネジの頭とネジ軸に固定した板ナット等の金具で塞ぎネジの末端側はメネジのついた移動板の貫通穴を通って移動板の外側に突出しネジの末端にネジを手回しするためのつまみを装着し、間隔調整ネジの手回し用のつまみを回して移動板を移動し間隔固定ネジの軸についた蝶ナット等を回して移動板を移動することにより２個のネジで圧着板の間隔を調整し被圧着面を圧迫して被圧着面の間に固定する突っ張り装置。
【請求項２】
請求項１の装置に棒材等の部材を連結した突っ張り装置で請求項１の間隔固定ネジが圧着板を貫通する位置を境目として間隔調整ネジが通る側と反対側の移動板の外側面に棒材等の部材をネジ、クギ等または接着剤等で連結し、請求項１の移動板を部分的に伸長した突っ張り装置。
【考案の詳細な説明】
【技術分野】
【０００１】本考案は突っ張り装置に関する。
【背景技術】
【０００２】本考案は突っ張り装置に関する。突っ張り装置は突っ張りの対象となる面である床と天井または壁と壁等の２つの面である被圧着面の間に装置を挿入し、被圧着面に接し被圧着面を圧迫する面である突っ張り面で被圧着面を圧迫して固定する。従来のネジ式の突っ張り装置ではオネジをメネジから出入りさせることによってネジに連結された部材の両端端口である突っ張り面の間隔を調整する。突っ張り面とネジ部は突っ張り方向に同じ直線上にあるのでネジを出入りさせるためにはメネジの高さがオネジの長さ以上であるかまたはオネジの長さ分以上の空洞がネジに連結された部材に設けられる必要がある。前者はメネジのコストが割高になるので現実には利用されない。従ってネジ式の突っ張り装置ではネジに連結する部材にオネジを収容するための空洞が設けられる。
【考案が解決しようとする課題】
【０００３】本考案の課題は、ネジに連結する部材にオネジを収容するための空洞を設ける必要のない突っ張り装置を提供するところにある。
【考案が解決するための手段】
【０００４】上記の課題を解決するために本考案は２本のネジを使うことにより突っ張り面とネジ部が突っ張り方向に対して同じ直線上に重ならないようにした。本考案は間隔をあけて向かい合う固定された板である固定板と移動する板である移動板よりなる圧着板を２本のネジが連結する構造である。２本のネジで圧着板の間隔を拡げることにより圧着板の外側面で被圧着面を圧迫し被圧着面の間に突っ張り固定する。圧着板は機能の異なる２つの区分された領域を有する。１つはネジの出入りによって突っ張り力を生み出す領域である原動領域である。本考案の原動領域は上記のネジ部に相当する。もう１つはその外面が被圧着面に接し被圧着面を圧迫する領域である圧迫領域である。本考案の圧迫領域は上記の突っ張り面に相当する。２本のネジは移動板が固定板の方向に移動しないように制止するためのネジである間隔固定ネジと移動板を移動させて圧着板の間隔を自由に調整ためのネジである間隔調整ネジである。間隔固定ネジは圧着板の圧迫領域と原動領域の境目を貫通する。間隔固定ネジが通る固定板にあいた貫通穴の出入口はネジの頭とネジ軸に固定した板ナット等の金具で塞がれている。そのため固定板はネジの頭と板ナットに挟まれて動けない。固定板の外側面の貫通穴の周囲は面取りしてありネジの頭は面取りした窪みに沈むのでネジの頭は表面に出ない。間隔固定ネジの固定板と移動板との間のネジ軸には蝶ナット等のメネジがかみ合っている。蝶ナット等のメネジを任意の位置で止めることにより移動板が固定板の方向に移動するのを制止する。間隔固定ネジの末端側は移動板の貫通穴を通って移動板の外側に伸びる。間隔調整ネジは間隔固定ネジから間隔をあけた圧着板の原動領域を貫通する。間隔調整ネジは固定板の貫通穴を通り貫通穴の出入口は間隔調整ネジの頭とネジ軸に固定した板ナット等の金具で塞がれている。挟まれた固定板はネジ軸上を移動できないが回転は妨害されないので空回りする。間隔調整ネジが通る固定板の外側面の貫通穴の周囲も面取りしてありネジの頭は面取りした窪みに沈むのでネジの頭は表面に出ない。間隔調整ネジの末端側は移動板にあけられたメネジのついた貫通穴を通って移動板の外側に突出しネジの末端にはネジを手回しするためのつまみが装着されている。このつまみを回すとメネジの付いた移動板はオネジの軸上を移動し圧着板の間隔が調整できる。固定板には間隔固定ネジを通すための間隔固定ネジ用貫通穴と間隔調整ネジを通すための間隔調整ネジ用貫通穴がついている。移動板には間隔固定ネジが固定板から水平または垂直に伸びる位置に間隔固定ネジ用貫通穴がついている。また間隔調整ネジが固定板から水平または垂直に伸びる位置に間隔調整ネジ用貫通穴がついている。移動板にあいた間隔調整ネジ用貫通穴の内側にはオニメナットやツメつきナット等のメネジがついてオネジである間隔調整ネジとかみ合っている。移動板の圧迫領域には棒材等の部材を連結するためのネジ、クギ挿入用の１個以上の貫通穴があいている。使い方はまず固定板の外面から移動板の外面までの寸法である圧着板外寸が被圧着面の間隔より狭くなるように間隔固定ネジと間隔調整ネジで調整する。そして圧着板の圧迫領域が被圧着面の間におさまるように被圧着面の間に挿入する。間隔調整ネジのつまみを回して移動板を移動させ圧着板の間隔を拡げて間隔調整ネジが貫通する位置の圧着板外寸が被圧着面の間隔に等しいか僅かに上回るように調整する。つぎに間隔固定ネジについた蝶ナット等を回して蝶ナット等で移動板を圧迫して移動板を固定板から離れる方向に移動させ間隔固定ネジが貫通する位置の圧着板外寸を間隔調整ネジが貫通する位置の圧着板外寸とほぼ等しくなるように調整する。最後に間隔調整ネジのつまみを回して間隔調整ネジが貫通する位置の圧着板外寸を縮小する方向に移動板を動かす。すると移動板の間隔調整ネジ用貫通穴を力点とし移動板と蝶ネジ等が接する接点を支点とし移動板の圧迫領域を作用点とする梃子の力が働くから移動板の圧迫領域の圧着板外寸は僅かに広がる。そのため被圧着面を更に強く圧迫することができるのでしっかり突っ張り固定できる。なお梃子の力が移動板にかかることにより移動板は僅かに歪む。この歪みによって間隔固定ネジの蝶ナット等および間隔調整ネジの手回し用のつまみは自然回転しにくい状態となり２個のネジは緩みにくくなる。本考案の圧着板外寸を自由に調整する機能は高さを調整する機能でもある。従って本考案を高さ調整用のアジャスターとして利用することもできる。
本考案の圧着板に棒材等の部材を取付けて本考案に棒材等の部材を連結した連結体を被圧着面に固定することもできる。この連結体は現在利用されている一般的なネジ式突っ張り装置と同じ機能を有する。移動板の圧迫領域にはネジ、クギ挿入用の１個以上の貫通穴があいている。棒材等の部材を連結する場合はこの貫通穴にネジ、クギを通すかまたは接着剤等を利用する。ネジ、クギを使う場合には移動板の外側の圧迫領域に棒材等の部材の端口を密着させ移動板の内側から移動板についた貫通穴にネジ、クギを通して棒材等の部材にねじこむ。接着剤や接着テープ等を使う場合には移動板の外側の圧迫領域と棒材等の部材の端口を接着する。天地の方向に連結体を突っ張る場合は棒材等の端口の上に本考案の移動板の圧迫領域を密着させるが棒材等の部材にしっかり連結しなくても落下のおそれがないのでネジ、クギや接着剤等による連結は必ずしも必要ではない。本考案と棒材等の部材との連結体は本考案の移動板の圧迫領域を棒材等の部材分だけ伸長したにすぎないから使い方は本考案と同じである。
【考案の効果】
【０００５】このように本考案の突っ張り装置はネジに連結する部材にオネジを収容するための空洞を設ける必要がない。オネジを収納する空洞を設ける必要がないので突っ張り機能のない棒材等の部材に外付けして部材に突っ張り機能をもたせることが容易にできる。ネジが緩みにくいので安定した突っ張り固定を継続できる。
【図面の簡単な説明】
【０００６】
【図１】  実施例１の正面図である。
【図２】  実施例１の右側面図である。
【図３】  実施例１の平面図である。
【図４】  実施例２の正面図である。
【図５】  実施例２の右側面図である。
【図６】  実施例２の平面図である。
【考案を実施するための形態】
【０００７】本考案は２本のネジを使うことにより突っ張り面とネジ部が突っ張り方向に対して同じ直線上に重ならないようにした。本考案は間隔をあけて向かい合う固定された板である固定板と移動する板である移動板よりなる圧着板を２本のネジで連結する構造である。２本のネジで移動板を移動し圧着板の間隔を拡げることにより圧着板の外側面で被圧着面を圧迫し被圧着面の間に突っ張り固定する。
【実施例１】
【０００８】本考案の実施例について図面を参照しながら説明する。
実施例１は天地の方向にある被圧着面に対して本考案を利用する場合の実施例である。図面１は正面図、図面２は右側面図、図面３は平面図である。間隔固定ネジ５は圧着板の中央付近を貫通している。間隔固定ネジを含めて右側が圧着板の原動領域３である。間隔固定ネジを含まない左側が被圧着面を圧迫する圧着板の圧迫領域４である。固定板１の外面から移動板２の外面までの寸法である圧着板外寸１４が被圧着面１５の間隔より狭くなるように間隔固定ネジ５と間隔調整ネジ１０で調整する。そし圧着板の圧迫領域が被圧着面の間におさまるように被圧着面の間に挿入する。間隔調整ネジ１３のつまみを回して移動板を下側に移動し間隔調整ネジが通る位置の圧着板外寸を被圧着面の間隔に等しいか僅かに上回るように調整する。つぎに蝶ナット等８を回して下方向に蝶ナットを移動させ移動板を蝶ナット等で下方向に圧迫し間隔固定ネジが通る位置の圧着板外寸を間隔調整ネジが通る位置にほぼ等しくなるように調整する。最後に間隔調整ネジのつまみを回して移動板を上方に移動し間隔調整ネジが通る位置の圧着板外寸を狭める。すると梃子の力により圧迫領域の圧着板外寸は拡がるから被圧着面は圧着板の圧迫領域によって更に強く圧迫され本考案は被圧着面の間に突っ張り固定する。固定板は間隔固定ネジの頭６および間隔調整ネジの頭１１とネジ軸に固定された板ナット等７により挟まれ固定されている。しかし間隔調整ネジの回転は妨害されないので空回りする。間隔調整ネジはネジを回転することにより移動板の貫通穴の内側についたメネジ１２とともに移動板を動かすので空回りする必要がある。しかし間隔固定ネジについては回転させる必要はないので空回りさせることは必要ではない。
【実施例２】
【０００９】実施例２は左右にある被圧着面に対して棒材等の部材を本考案に連結した連結体を利用する場合の実施例である。図面４は正面図、図面５は被圧着面が透明とした場合の右側面図、図面６は平面図である。棒材等を本考案に連結する方法としてはネジクギ等の金具を使う場合と接着剤や接着テープ等を使う場合がある。また天地の方向に連結体を突っ張り固定する場合は棒材等の部材の長さ方向の端口に移動板の外側の圧迫領域を密着させて突っ張り固定すれば本考案と棒材等の部材は分離しないのでネジ、クギや接着剤等で連結することは必ずしも必要でない。接着剤等で連結する場合は移動板の外側の圧迫領域と棒材等の部材の端口を接着剤等で接着する。ネジ、クギで連結する場合は移動板の外側の圧迫領域に棒材等の端口を密着させ移動板の内側から移動板の圧迫領域についた貫通穴にネジ、クギを通して棒材等の部材に固定する。その場合事前に移動板を間隔固定ネジからはずしておかないと固定板が邪魔になってうまくドライバーが使えない。間隔固定ネジは間隔調整ネジより移動板の厚み＋間隔調整ネジのツマミの高さ以上分短いので移動板を極限まで間隔調整ネジのツマミに近づけると移動板を間隔固定ネジからはずすことができる。ネジ、クギで移動板と棒材等の部材を連結した後ははずしたときと逆の手順で元に戻す。本考案の移動板の外側の圧迫領域に棒材等の部材を連結した連結体は本考案の移動板の圧迫領域が伸長したものにすぎないので本考案単体の使い方と同じである。
【産業上の利用可能性】
【００１０】ネジに連結する部材にオネジを収容するための空洞を設ける必要がなくネジが緩みにくく安定した突っ張り固定を必要とする用途に利用できる。
【符号の説明】
【００１０】１            固定板
２            移動板
３            圧着板の原動領域
４            圧着板の圧迫領域
５            間隔固定ネジ
６            間隔固定ネジの頭
７            板ナット等
８            蝶ナット等
９            間隔固定ネジ用貫通穴
１０          間隔調整ネジ
１１          間隔調整ネジの頭
１２          間隔調整ネジ用貫通穴についたメネジ
１３          手回し用ツマミ
１４          圧着板の外寸
１５          被圧着面
１６          棒材等の部材
【図１】
0003175186.tif 000003
【図２】
0003175186.tif 000004
【図３】
0003175186.tif 000005
【図４】
0003175186.tif 000006
【図５】
0003175186.tif 000007
【図６】
0003175186.tif 000008